(57)【要約】【課題】手間がかからず製造でき、しかも掃除がしやすい床材を提供すること。また、加えて、木質系フローリングに一段と近似する床材を提供すること。【解決手段】    長尺状の基材２の表面に、化粧シート１１が貼着され、この化粧シート１１の表面には、長手方向と直交方向の目地状溝１５が複数形成されている床材１において、化粧シート１１上の各目地状溝１５を、断面Ｕ字形で深さＬ１が当該化粧シート１１の厚さＬ０２内に止まるように形成する。  前記化粧シート１１を２層構造とし、表面の第１層部分１２よりも下の第２層部分１３のほうを暗色とする。【選択図】      図１
2008144491.tif 000002
【特許請求の範囲】
【請求項１】
長尺状の基材の表面に、化粧シートが貼着されており、この化粧シートの表面には、長手方向と直交方向の目地状溝が複数形成されている床材において、
前記化粧シート上の各目地状溝は、断面Ｕ字形で深さが当該化粧シートの厚さ内に止まるように形成されたことを特徴とする床材。
【請求項２】
前記化粧シートを２層構造とし、表面の第１層部分よりも下の第２層部分のほうが暗色であることを特徴とする請求項１記載の床材。
【発明の詳細な説明】
【技術分野】
【０００１】
本発明は、本発明は、住宅等における内装用の床材に関する。
【背景技術】
【０００２】
建物（住宅等）における内装用の床材は、合板等の下地（基材）の表面に突板を貼り付け、その表面に木工機械によって縦横に目地状の溝加工を施して、当該目地状溝を着色塗料によって着色した後に、その全面に紫外線硬化型塗料等による表面保護層を形成して成っている（いわゆる木質系フローリング材）。なお、上記突板は、天然素材であるために、１枚１枚の色のバラつきが大きく、壁・天井・家具等との色調に合わせにくいことがある。そこで、上記突板の代わりに、当該突板のような絵柄が印刷された合成樹脂シート（化粧シート）が使われることも多い。
【０００３】
化粧シートが使われた床材（５０）の従来例（例えば、特許文献１，２参照）を、図６〜図８に示す。
【０００４】
長尺シート状基材５１の表面には、化粧シート５３が貼着されている。この化粧シート５３には、長手方向と直交方向の目地状溝（５６，５６）が複数形成されている。すなわち、化粧シート５３の表面の中間部分には、図６に示すように、長手方向（矢印Ｅ，Ｆ方向）に伸延して平行な２つの長い目地状溝５６と、当該目地状溝５６と直交する５つの短い目地状溝５６が設けられている。また、化粧シート５３の表面の両長手方向端面部分には、それぞれ半欠け状の目地状溝５６ｈが設けられている。
【０００５】
化粧シート５３上の各目地状溝５６は、図７および図８に示すように、Ｖ字形とされており、化粧シート５３の表面から合板等の基板５１に達する深さを有するように形成されている。例えば、図８に示すように、化粧シート５３の厚さＬ５１が０．４１ｍｍの場合に、深さＬ５０が１ｍｍの目地状溝５６が形成される。そのため、各目地状溝５６部分から基材５１が露出することになるが、そのまま放置したのでは水分が当該露出部分から基材５１に染み込むことになる。そこで、各目地状溝５６部分に耐水性の塗料を丁寧に厚く塗っている。なお、目地状溝５６は、化粧シート５３の表面の色よりも暗いほうが木質系フローリングにより近似することになるので、上記塗料としては暗色のもの（例えば黒色）が使われることが多い。
【特許文献１】特許番号第２７１７７５３号公報
【特許文献２】特開２００５−３０７５８２号公報
【発明の開示】
【発明が解決しようとする課題】
【０００６】
しかし、上記した従来の床材５０では、化粧シート５３上の各目地状溝５６部分に耐水性の塗料を丁寧に塗るため手間が掛かるという欠点を有する。また、化粧シート５３上の各目地状溝５６は先窄（つぼ）まりなので〔当該溝５６の内面（ａ，ａ）間の距離が先端に行くほど狭くなる〕、当該溝部分に小さなゴミ等が入ってしまうと、取り出しにくく清掃しにくい。
【０００７】
本発明の目的は、手間がかからず製造でき、しかも掃除がしやすい床材を提供することにある。また、加えて、木質系フローリングに一段と近似する床材を提供することを目的とする。
【課題を解決するための手段】
【０００８】
上記目的を達成するために、請求項１の発明は、長尺状の基材の表面に、化粧シートが貼着されており、この化粧シートの表面には、長手方向と直交方向の目地状溝が複数形成されている床材において、前記化粧シート上の各目地状溝は、断面Ｕ字形で深さが当該化粧シートの厚さ内に止まるように形成されたものである。
【０００９】
上記請求項１の発明の場合、化粧シート上の各目地状溝は、それぞれ深さが当該化粧シートの厚さ内に止まっているので、当該各目地状溝部分から基材は露出しない。したがって、基材は、その表面全面が各目地状溝部分を含めた化粧シート部分で覆われているので、耐水性の塗料で塗る必要がない。なお、各目地状溝を、化粧シートの平坦部分よりも暗い色調の塗料で塗る場合にも、基材に水分が染み込まないように丁寧に厚く塗る必要はないので、塗装作業はそれほど手間が掛からない。
【００１０】
また、化粧シート上の各目地状溝は、断面Ｕ字形とされているので、小さなゴミが落ちても断面Ｖ字形の従来溝と異なり当該ゴミが溝の内面間に挟まるような殆どない。そのため、清掃しやすい。
【００１１】
請求項２の発明は、前記化粧シートを２層構造とし、表面の第１層部分よりも下の第２層部分のほうが暗色であることを特徴とする請求項１記載の床材である。
【００１２】
上記請求項２の発明の場合、化粧シート上に目地状溝加工を施せば、当該溝の内面の深い部分は暗色となる。そのため、目地溝に暗色の塗料を塗ることなく、一段と木質系フローリングに近似することになる。
【発明の効果】
【００１３】
請求項１の発明によれば、化粧シート上の各目地状溝の深さが当該化粧シートの厚さ内に止まっているので、当該各目地状溝部分から基材は露出しない。そのため、基材には耐水性の塗料で塗る必要がないので、手間がかからず製造できる。しかも、小さなゴミも掃出しやすく掃除がしやすい。
【００１４】
請求項２の発明によれば、前記化粧シートを２層構造とし、表面の第１層部分よりも下の第２層部分のほうが暗色であるので、請求項１の発明と同様な効果を奏する他、化粧シート上に目地状溝加工を施せば、当該溝の内面の深い部分は暗色となる。そのため、目地溝に暗色の塗料を塗ることなく、一段と木質系フローリングに近似することになる。
【発明を実施するための最良の形態】
【００１５】
以下、本発明の実施の形態を図面を参照しながら説明する。
【００１６】
（第１の実施形態）
【００１７】
本発明に係る床材１は、図３に示すように、長尺状の基材２と、この基材２の表面に貼着された化粧シート１１とを備えている。
【００１８】
詳しくは、基材２は、合板から形成されており、長方形の板状に形成されている。
【００１９】
化粧シート１１は、耐水性の合成樹脂製シートとされており、上記基材２の表面に接着剤を介して貼りつけられている。この化粧シート１１は、木質系フローリングの突板のような絵柄と色調とを有しており、図３に示すように、その表面には長手方向（矢印Ｅ，Ｆ方向）の目地状溝１５と当該溝１５と直交方向の目地状溝１５がそれぞれ複数形成されている。すなわち、化粧シート１１の表面の中間部分には、長手方向に伸延して平行な２つの長い目地状溝１５と、当該目地状溝１５と直交する５つの短い目地状溝１５が設けられている。また、化粧シート１１の表面の両長手方向端面部分には、それぞれ半欠け状の目地状溝１５ｈが設けられている。
【００２０】
この化粧シート１１の各目地状溝１５は、断面Ｕ字形で深さが当該化粧シート１１の厚さ内に止まるように形成されている。この実施形態では、図２に示す化粧シート１１の厚さＬ０２は、０．４１ｍｍとされており、各目地状溝１５は円弧形状で深さＬ１は０．３ｍｍとされている。図２中、Ｌ２は目地状溝１５の幅で、例えば０．６ｍｍとされている。なお、各目地状溝１５の内面の上縁１５ａは円弧状に面取りされている。これは、本床材１上を歩く人の足が目地状溝１５の上縁に当たってササクレ（化粧シート１１が薄くなっている当該溝１５から引き剥がされるように破損すること）が発生することのないようにするためである。
【００２１】
上記構成の本床材１の場合、化粧シート１１上の各目地状溝１５は、それぞれ深さＬ１が当該化粧シート１１の厚さＬ０２内に止まっているので、当該各目地状溝１５部分から基材２は露出しない。したがって、基材２は、その表面全面が各目地状溝１５部分を含めた化粧シート１１部分で完全に覆われている（すなわち、この実施形態では各溝１５の最も低所部分でも基材２は０．１１ｍｍの化粧シート１１部分で覆われていることになる。それ以外の部分は０．４１ｍｍ厚の化粧シート１１部分で覆われていることになる。）ので、耐水性の塗料で塗る必要がない。なお、木質系フローリングに近似するように、各目地状溝１５を化粧シート１１の平坦部分よりも暗い色調の塗料で塗る場合にも、基材２に水分が染み込まないように丁寧に厚く塗る必要はないので、塗装作業はそれほど手間が掛からない。
【００２２】
また、この床材１の化粧シート１１上の各目地状溝１５は、断面Ｕ字形とされているので、小さなゴミが落ちても断面Ｖ字形の従来溝１５と異なり当該ゴミが溝１５の内面間に挟まって取れなくなるようなことは殆ど無い。特に、この実施形態では、化粧シート１１上の各目地状溝１５は、断面円弧形状とされており、各内面は曲率一定の滑らかな曲面とされているので、ブラシを差し込んでゴミを掃き出しやすい。そのため、清掃しやすい。
【００２３】
（第２の実施形態）
【００２４】
第２の実施形態は、図４および図５に示される。
【００２５】
上記床材１の化粧シート１１が２層構造とされ、表面の第１層部分１２よりも下の第２層部分１３のほうが暗色とされている。
【００２６】
この実施形態では、化粧シート１１の表面を形成する第１層部分１２の厚さを０．１１ｍｍ、当該第１層１２よりも下の第２層部分１３の厚さが０．３ｍｍとされている。
【００２７】
したがって、かかる化粧シート１１に、深さ０．３ｍｍの目地溝１５加工を施せば、当該溝１５の内面の深い部分（表面から０．１１ｍｍより下の部分）は暗色となる。そのため、溝１５に暗色に塗装することなく、一段と木質系フローリングに近似することになる。
【図面の簡単な説明】
【００２８】
【図１】本発明に係る床材の特徴部分である目地状溝を説明するための図である。
【図２】化粧シート上の目地状溝を詳細に説明するための図である。
【図３】本床材の全体構成を示す斜視図である。
【図４】本発明の第２の実施形態を説明するための図である。
【図５】本発明の第２の実施形態を説明するための図である。
【図６】従来の床材を説明するための図である。
【図７】従来の床材の目地状溝を説明するための図である。
【図８】従来の床材の目地状溝の寸法を説明するための図である。
【符号の説明】
【００２９】
１    床材
２    基材
１１    化粧シート
１２    第１層部分
１３    第２層部分
１５    目地状溝
【図１】
2008144491.tif 000003
【図２】
2008144491.tif 000004
【図３】
2008144491.tif 000005
【図４】
2008144491.tif 000006
【図５】
2008144491.tif 000007
【図６】
2008144491.tif 000008
【図７】
2008144491.tif 000009
【図８】
2008144491.tif 000010